(57)【要約】      （修正有）【課題】取付対象物との脱着が容易であり、固定したままでも点灯／消灯の切り替えが容易な発光ホックボタンを提供する。【解決手段】ランプ部２１〜３２と係合突起２９を有する雄ホック２と、係合受け座４１を有する雌ホック４とからなる発光ボタンである。前記ランプ部は、下蓋２８を有するカバーと、このカバーに内蔵された、電池２７と、発光素子２５と、これらを第１端子３０及び第２端子につなぐ電線３２を有する。前記第１端子３０は前記下蓋２８の表面上に設けられ、前記第２端子は前記係合突起２９の表面上に周囲から絶縁して設けられている。前記雌ホック４は、導電性の表面４２と、雌雄ホックの係合時に前記係合突起を内方へ向かって弾力的に押圧する導電性のバネ４３を有する。前記第２端子と前記バネは前記雄ホック４の回転により、接触と非接触の選択が可能である。【選択図】図５
2014094230.tif 000002
【特許請求の範囲】
【請求項１】
ランプ部（２１〜３２）と係合突起（２９）を有する雄ホック（２）と、前記係合突起（２９）を受容可能な係合受け座（４１）を有する雌ホック（４）とからなる発光ボタン（１）であって、
前記雄ホック（２）の前記ランプ部は、下蓋（２８）を有するカバー（２３）と、このカバーに内蔵された、電池（２７）と、発光素子（２５）と、これらを第１端子（３０）及び第２端子（３１）につなぐ電線（３２）を有し、
前記第１端子（３０）は前記下蓋（２８）の表面上に設けられ、前記第２端子（３１）は前記係合突起（２９）の表面上に周囲から絶縁して設けられており、
前記雌ホック（４）は、導電性の表面（４２）と、雌雄ホックの係合時に前記係合突起（２９）を内方へ向かって弾力的に押圧する導電性のバネ（４３）を有し、
前記第２端子（３１）と前記バネ（４３）は前記雄ホック（４）の回転により、接触と非接触の選択が可能であることを特徴とする発光ボタン（１）。
【請求項２】
前記雌ホック（４）を取付対象物の物品（Ｂ）に取り付けるときに用いる背部支持材（５）をさらに有する発光ボタンであって、この背部支持材（５）は前記物品の裏側から前記物品を貫通する係合脚部（５０）を有し、この係合脚部（５０）が前記雌ホック（４）とかしめられる請求項１記載の発光ボタン（１）。
【発明の詳細な説明】
【技術分野】
【０００１】
本発明は、衣服、帽子、ベルト、かばん、などに対して取付け及び取外しが自在な、電池内蔵式の発光ホックボタンに関する。このような発光ホックボタンは、たとえば、衣服や室内の装飾用、懐中電灯の代用、夜間の歩行や自転車運転時に自動車運転者に対する注意喚起用として、使用可能である。
【背景技術】
【０００２】
この種の従来技術として特開２０１１−５４４７４が知られている。この発明は、ランプ台座上に、発光ダイオードが取付けられた発光ダイオードランプである。発光ダイオードの周囲を覆う透明なカバーが取付けられ、さらに、ランプ座の側壁に外ネジ部が設けられると共に、ランプ台座の底部側にはネジ穴が穿設されている。ランプ座の外ネジ部をランプ台座のネジ穴にねじ込むことにより一体化することができる。
【発明の概要】
【発明が解決しようとする課題】
【０００３】
この従来技術では、ネジ部を使用してランプ台座を蓋部にねじ込んだり、外したりできるであろうが、外したときには電池も取れてしまうので、取り外しは一般的ではなく、特別な期間中の常時使用が予定されているものと思われる。また、クリップと組み合わせた実施例も示されているが、たとえば衣服などとどのように組み合わせることができるのか、見当がつかない。
【０００４】
本発明は、取付対象物との脱着が容易であり、固定したままでも点灯／消灯の切り替えが容易な発光ホックボタンを提供することを目的とする。
【課題を解決するための手段】
【０００５】
本発明は、ランプ部と係合突起を有する雄ホックと、前記係合突起を受容可能な係合受け座を有する雌ホックとからなる発光ボタンであって、前記雄ホックの前記ランプ部は、下蓋を有するカバーと、このカバーに内蔵された、電池と、発光素子と、これらを第１端子及び第２端子につなぐ電線を有し、前記第１端子は前記下蓋の表面上に設けられ、前記第２端子は前記係合突起の表面上に周囲から絶縁して設けられており、前記雌ホックは、導電性の表面と、雌雄ホックの係合時に前記係合突起を内方へ向かって弾力的に押圧する導電性のバネを有し、前記第２端子と前記バネは前記雄ホックの回転により、接触と非接触の選択が可能であることを特徴とする。
【０００６】
実際に取付対象物の物品に取り付けるときには、雌ホックは背部支持材によってかしめられる。背部支持材は、物品の裏側から物品を貫通する係合脚部を有する。
【発明の効果】
【０００７】
本発明によれば、雄ホックは電池を内蔵したランプ部を有し、衣服等の雌ホックに対して簡単に脱着することができる。しかも取り付けた後、雄ホックを回転させることにより、電気回路を開閉させることができるので、点灯／消灯の切り替えが容易である。
【０００８】
以下、添付の図面に基づき、本発明の実施例を説明する。
【図面の簡単な説明】
【０００９】
【図１】本発明の第１実施例であって、ベルトに装飾用として取り付けた発光ボタンの斜視図である。
【図２】図１のボタンの分解斜視図である。
【図３】図１のボタンのランプ部の（ａ）平面図、（ｂ）正面図、（ｃ）底面図、（ｄ）左側面図、（ｅ）右側面図、（ｆ）前記（ａ）の断面図である。
【図４】図１のボタンの台座の（ａ）平面図、（ｂ）正面図、（ｃ）底面図、（ｄ）前記（ａ）のd-d断面図、（ｅ）前記（ｂ）のe-e断面図である。
【図５】ランプ部と台座の断面図であり、（ａ）は結合前、（ｂ）は結合後である。
【図６】（ａ）（ｂ）は、バネと係合突起の２種類の接触を示す横断面図である。
【実施例１】
【００１０】
図１は、第１実施例の発光ボタン１をベルトＢに取り付けた状態を示すと共に、雌ホック２単独及び雄ホック４単独でも示している。これからわかるように、この発光ボタン１は、ベルトＢに固着された台座である雌ホック４と、着脱自在なランプ部を有する雄ホック２からなる。
【００１１】
雌ホック２のランプ部は、図２及び図３に示すように、開放可能な蓋部２０と、円筒状の側部２１、底部２２、下蓋２８からなるカバー２３を有する。カバー２３は、非電導性である必要があり、透明または半透明の合成樹脂製とすることが好ましいが、ガラス製でもよい。
【００１２】
カバー蓋部２０は側部２１に対して押し込み、ねじ込み又は接着剤により密閉固定される。
【００１３】
カバー２３の中には、基板２４上の発光素子２５及び抵抗器２６と電池２７が電線３２と共に内蔵されている。発光素子２５としてＬＥＤが好ましいが、ほかにも例えばＥＬ（エレクトロルミネッセンス）素子、発光ダイオード素子等を使用してもよい。電池２７としては、大きさの関係でボタン電池が好ましい。
【００１４】
底部２２に対して下蓋２８がかしめ固着されている。下蓋２８は雄ホックの役割を果たす部分であり、雌ホックと係合可能な突起２９が突出している。さらに下蓋２８の下面には小突起である第１端子３０が下方に突出している。
【００１５】
他方の第２端子３１は係合用突起２９の側部に設けられている（図3（ｅ）（ｆ）参照）。第２端子３１の周囲は非導電性のカバー底部２２により絶縁されている。電気回路は、電池２７―基板２４（発光素子２５及び抵抗器２６）―第１端子３０又は第２端子３１を電線３２が結んでいる。ランプ部だけでは回路が閉じていないので点灯しない。
【００１６】
台座４は、図２及び図４に示すように、中央に係合受け部４１を形成した導電性の表面４２を有する雌ホックである。受け部４１には導電性のバネ４３が内蔵されており、図６に示すように、バネ４３は、雌雄ホック２，４の係合時に雄ホック２の係合突起２９を側部から押圧して係合を確実なものとしている。バネ４３は、図４（ｃ）（ｅ）に示すように、２本のＵ字型部を有して、それぞれが中央部に向かって付勢する形式のものとすることが好ましい。
【００１７】
ベルトＢなどの取付対象物に雌ホック４を取り付けるには、図５に示すように、ベルトＢの裏側からベルトを貫通するように、係合脚部５０を有する背部支持材５でかしめる。
【００１８】
雌ホック２と雄ホック４の係合は、図５（ａ）（ｂ）に示すように、雄ホック２の係合突起２９を雌ホック４の係合受け部４１に挿入することで完成する。
【００１９】
このとき、雌ホックのバネ４３と雄ホックの係合用突起２９が接触する。接触の仕方としては、図６（ａ）（ｂ）に示す２種類がある。図６（ａ）は突起上の第２端子３１がバネ４３と接触するときであり、図６（ｂ）はしないときである。
【００２０】
図６（ａ）のとき、電気回路が、雄ホックの電池２７―基板２４（発光素子２５及び抵抗器２６）―第１端子３１―係合受け部表面４２―バネ４３―係合受け部表面４２―第２端子３０―電池２７とつながり、回路が閉じて通電する。すなわち、発光素子２５が点灯する。
【００２１】
しかし、図６（ｂ）のときは、係合受け部表面４２―バネ４３の部分で接触が絶たれるので、点灯しない。
【００２２】
図６（ａ）と図６（ｂ）の切り替え（すなわち、ランプ部の点灯／消灯）は、指で９０度ランプ部を回転させるだけでよく、時計回りでも反時計回りでもよい。
【００２３】
ランプ部（雌ホック２）を長期間使用しないときには、雌ホックは台座から引き抜いておくことが好ましい。また、発光素子２５の色や形状が異なる複数のランプ部を用意しておき、目的用途に合わせてランプ部を取り換えることも容易である。
【先行技術文献】
【特許文献】
【００２４】
【特許文献１】特開２０１１−５４４７４
【符号の説明】
【００２５】
１   発光ボタン
２   雄ホック（ランプ部）
２０ 蓋部
２１ 側部
２２ 底部
２３ カバー
２４ 基板
２４ 発光素子
２４ 基板
２６ 抵抗器
２７ 電池
２８ 下蓋（カバー底部）
２９ 係合突起
３０第１端子
３１第２端子
３２ 電線
４   雌ホック（台座）
４１ 係合受け部
４２ 表面
４３ バネ
５   背部支持材
５０ 係合脚部
Ｂ   ベルト
【図１】
2014094230.tif 000003
【図２】
2014094230.tif 000004
【図３】
2014094230.tif 000005
【図４】
2014094230.tif 000006
【図５】
2014094230.tif 000007
【図６】
2014094230.tif 000008